(57)【要約】【課題】可愛らしさ、面白さ、等により食欲や旨み感を呼び起こす、特にお弁当箱用のおかずや果物入れとして好適な食品容器を提供する。【解決手段】紙基材の片面にポリオレフィン樹脂をラミネートした積層シート材料１からなり、前記ポリオレフィン系樹脂面を内面としてなる食品容器５であって、該容器５の側壁に動物、キャラクター等の図柄２が突設されていることを特徴とする。【選択図】図１
0003108231.tif 000002
【実用新案登録請求の範囲】
【請求項１】
紙基材の片面にポリオレフィン樹脂をラミネートした積層シート材料からなり、前記ポリオレフィン系樹脂面を内面としてなる食品容器であって、該容器の側壁に動物、キャラクター等の図柄が突設されていることを特徴とする食品容器。
【請求項２】
容器内面の側壁及び／又は底部にメッセージ及び／又は図柄が記載されていることを特徴とする請求項１記載の食品容器。
【請求項３】
容器の側壁の一部又は全部がプリーツ状に成形されていることを特徴とする請求項１又は２記載の食品容器。
【請求項４】
弁当箱用のおかず又は果物を入れるための容器である請求項１〜３のいずれか１項に記載の食品容器。
【考案の詳細な説明】
【技術分野】
【０００１】
本考案は、食品容器に関し、更に詳しくは、可愛らしさ、面白さ、等により食欲や旨み感を呼び起こす、特にお弁当箱用のおかずや果物入れとして好適な食品容器に関する。
【背景技術】
【０００２】
従来、例えば、お弁当箱用のおかずや果物用容器としては、アルミホイルで形成した容器が用いられたり、また、フィルムで容器状に形成したものや、フィルムで包むといった方法が用いられている。
【０００３】
例えば、側壁の一部もしくは全部の横断面が波形状をなすようにプレス成形された皿状もしくはカップ状の食品容器が提案されている（例えば、特許文献１参照）。
【特許文献１】特開平９−２９０８１７号公報
【考案の開示】
【考案が解決しようとする課題】
【０００４】
しかしながら、上記のような容器や方法では、単に食物が収容されているか、又は、他の食物と混ざり合わないように区画されているにすぎず、食欲を増進したり旨み感を引き起こす面白さや可愛らしさは皆無である。食欲や旨み感は食物自体の旨みの他に、盛りつけや食器、テーブルクロス等によっても大きく左右されるもので、上記のような単なる容器ではこのような食欲の増進や旨み感の喚起は全く期待できない。
【０００５】
本考案は、従来の単に食物を入れるだけという無機質な食品容器に可愛らしさや面白さを加えることにより、食欲を増進したり、旨み感を呼び起こすことの可能な食品容器を提供することを目的とする。
【０００６】
また、本考案は、容器内面の側壁や底部にメッセージや図柄を記載することにより、残さずに最後まで食べることを動機づけたり、誘導することの可能な食品容器を提供することを目的とする。
【課題を解決するための手段】
【０００７】
上記課題を達成するための本考案の請求項１は、紙基材の片面にポリオレフィン樹脂をラミネートした積層シート材料からなり、前記ポリオレフィン系樹脂面を内面としてなる食品容器であって、該容器の側壁に動物、キャラクター等の図柄が突設されていることを特徴とする食品容器を内容とするものである。
【０００８】
本考案の請求項２は、容器内面の側壁及び／又は底部にメッセージ及び／又は図柄が記載されていることを特徴とする請求項１記載の食品容器を内容とするものである。
【０００９】
本考案の請求項３は、容器の側壁の一部又は全部がプリーツ状に成形されていることを特徴とする請求項１又は２記載の食品容器を内容とするものである。
【００１０】
本考案の請求項４は、弁当箱用のおかず又は果物を入れるための容器である請求項１〜３のいずれか１項に記載の食品容器を内容とするものである。
【考案の効果】
【００１１】
本考案の食品容器は、動物やキャラクター等の図柄を食品容器の側壁に突設してなるから、食物を収容した状態でこれらの図柄が食物により隠されて見えなくなるということがなく、常に見える状態にあるから、可愛らしい動物や、興味のあるキャラクター等を見て楽しみながら食することが可能となり、食欲や旨み感が増進する。
【００１２】
また、容器内面の側壁及び／又は底部にメッセージ及び／又は図柄が記載されることにより、食物を食するにつれてどんな図柄やメッセージが出てくるか興味津々の状態で最後まで食することが可能となり、また、少々嫌いな食物でも興味につられて食べてしまうという副次的効果も期待できる。
【考案を実施するための最良の形態】
【００１３】
本考案の食品容器は、紙基材の片面にポリオレフィン樹脂をラミネートした積層シート材料からなり、前記ポリオレフィン系樹脂面を内面としてなる食品容器であって、該容器の側壁に動物、キャラクター等の図柄が突設されていることを特徴とする。
【００１４】
本考案に用いられる紙基材は通常食品用として用いられている紙基材であればよく、例えばクラフト紙、グラシン紙、和紙等が用いられ、２０〜７０ｇ／ｍ2 程度のものが好適である。
【００１５】
本考案に用いられるポリオレフィン樹脂としては、ポリエチレン、ポリプロピレン等が好ましく、厚さは１５〜５０μｍ程度のものが好適である。
【００１６】
紙基材の片面にポリオレフィン樹脂がラミネートされ積層シート材料とされる。ラミネートする方法は特に制限されないが、紙基材上に溶融したポリオレフィン樹脂を押し出してラミネートする方法が好ましい。必要に応じ、紙基材の他の面にもポリオレフィン樹脂をラミネートすることも可能であるが、コストを低く抑えるには片面ラミネートが好ましい。
【００１７】
本考案の食品容器の側壁に図柄が突設される。このような図柄としては、可愛らしさや面白さで食欲を増進したり、旨み感を呼び起こすような図柄が用いられ、例えば、イヌ、ネコ、カエル、クマ、ゾウ、キリン、カバ、サル、トリ等の動物、アニメ等に登場するキャラクター、花等が挙げられる。図柄は少なくとも１個が設けられ、複数個設ける場合は２〜３個程度が好ましい。
【００１８】
本考案の食品容器は、内面の側壁及び／又は底部にメッセージ及び／又は図柄を施すことができる。図柄は上記した図柄と同じものでよい。メッセージは、例えば、年少者向けには、「のこさずたべたネ」、「いっぱいたべたネ」、「ぜんぶたべたネ」、「おりこうさん」等の残さず食べたことへの誉め言葉等が挙げられ、このようなメッセージを見たいために、残さずに食べるという効果が期待できる。
【００１９】
上記メッセージは、容器側壁に突設した図柄と合わせて、例えば、ネコの場合は「のこさずたべたニャン」、ゾウのばあいは「いっぱいたべたゾウ」等とネコやゾウが語りかけたかのようなメッセージにすることもできる。
【００２０】
また、側壁に施すメッセージとしては、「あとすこしだよ」、「がんばってるネ」、「おいしいネ」等の、嫌いな食物でも食べるように応援、激励メッセージとすることが考えられる。
【００２１】
また、年少者以外に対するメッセージとしては、「大吉」、「小吉」、「末吉」等のおみくじ、「交際よし」、「買い物よし」等の運勢等が挙げられる。
【００２２】
本考案の食品容器の好ましい作り方の一例について記載すると、例えば、紙基材上に所望の食品容器の形状に応じて略矩形状、円形状、楕円形状等に容器の輪郭を描き、その外周に少なくとも１個のイヌ、ネコ等の図柄を描き、又は、更に側壁及び／又は底部に相当する部分に図柄及び／又はメッセージを印刷又は記載し、その上にポリオレフィンフィルムをラミネートし積層シート材料とする。
【００２３】
次いで、積層シート材料を容器の輪郭に沿って切り抜いた積層容器材料を、それぞれプリーツ状の溝を設け雌型と雄型との間に挟み込み、雄型を雌型の中に押し込んだ状態で加熱してポリオレフィン樹脂面を内面とするカップ状に成形される。プリーツ状のヒダは側壁の一部又は全部に設けられる。
【００２４】
以下、実施例を示す図面に基づいて本考案を更に詳細に説明するが、本考案はかかる実施例のみに限定されないことは云うまでもない。
【００２５】
図１、２は本考案の実施例を示し、図１は、成形する前の積層容器材料を示す上面図で、楕円形の積層容器材料１の長辺の一辺にゾウの図柄２が突設され、該材料の楕円形の中央部にニンジンの図柄とメッセージ４（本例では「ぜんぶたべたゾウ」）が印刷されている。
【００２６】
上記積層容器材料を一部プリーツ状の溝を設けた雌型と雄型との間に挟み込み、雄型を雌型の中に押し込んで積層容器材料を両型内に挟み込んだ状態で加熱してカップ状に成形し、図２に示したように、側壁にゾウの図柄２を突設し、底部にニンジンの図柄３とメッセージ４が施された食品容器５が得られる。
【００２７】
図３、図４は本考案の他の実施例を示し、図３は、成形する前の積層容器材料を示す上面図で、丸みをもった略矩形の積層容器材料１の対向する２辺にクマの図柄２ａとゾウの図柄２ｂが突設され、該材料の中央部にリンゴの図柄３とメッセージ４（本例では「いっぱいたべたネ」）が印刷されている。
【００２８】
上記積層容器材料を一部プリーツ状の溝を設けた雌型と雄型との間に挟み込み、雄型を雌型の中に押し込んで積層容器材料を両型内に挟み込んだ状態で加熱してポリオレフィン樹脂面を内面とするカップ状に成形し、図４に示したように、側壁にクマの図柄２ａとゾウの図柄２ｂを突設し、底部にリンゴの図柄３とメッセージ４が施された食品容器５が得られる。
【００２９】
図５、図６は本考案の更に他の実施例を示し、図５は、成形する前の積層容器材料を示す上面図で、丸みをもった略矩形の積層容器材料１の対向する２辺にネコの図柄２ａとカエルの図柄２ｂが突設され、該材料の中央部にニンジンの図柄３とメッセージ４ａ（本例では「のこさずたべてニャン」）が印刷され、更に、ネコの図柄２ａとニンジンの図柄３との間には「がんばってネ」４ｂ、カエルの図柄２ｂとメッセージ４ａとの間には「おいしいネ」のメッセージ４ｂがそれぞれ施されている。
【００３０】
上記積層容器材料を一部プリーツ状の溝を設けた雌型と雄型との間に挟み込み、雄型を雌型の中に押し込んで積層容器材料を両型内に挟み込んだ状態で加熱してポリオレフィン樹脂面を内面とするカップ状に成形し、図６に示したように、側壁にネコの図柄２ａとカエルの図柄２ｂを突設し、底部にニンジンの図柄３とメッセージ４ａ、４ｂが施された食品容器５が得られる。
【００３１】
上記図６の食品容器５の場合は、例えば、食物が好物でない場合は、側壁のメッセージ４ｂ「がんばってネ」がネコの図柄２ａからの応援メッセージとなり、また、好物である場合、メッセージ４ｂ「おいしいネ」がカエルの図柄２ｂと対話をしているように感じ、いずれの場合もますます食が進むという効果が期待でき、栄養面や健康維持・増進の面からも有用である。
【産業上の利用可能性】
【００３２】
叙上のとおり、本考案の食品容器によれば、可愛らしい図柄や面白い図柄を配したことにより、食欲や旨み感が増進し、また、側壁や底部にメッセージを施した場合には、例えば、好物でない食物であっても、最後まで食べることを動機づけたり、誘導することが期待でき、栄養面や健康維持・増進の面からも有用である。
【図面の簡単な説明】
【００３３】
【図１】成形する前の積層容器材料を示す平面図である。
【図２】図１の積層容器材料を成形して得られる食品容器を示す上面図である。
【図３】成形する前の積層容器材料を示す平面図である。
【図４】図３の積層容器材料を成形して得られる食品容器を示す上面図である。
【図５】成形する前の積層容器材料を示す平面図である。
【図６】図５の積層容器材料を成形して得られる食品容器を示す上面図である。
【符号の説明】
【００３４】
１  積層シート材料（積層容器材料）
２、２ａ、２ｂ  図柄
３  図柄
４、４ａ、４ｂ  メッセージ
５  食品容器
【図１】
0003108231.tif 000003
【図２】
0003108231.tif 000004
【図３】
0003108231.tif 000005
【図４】
0003108231.tif 000006
【図５】
0003108231.tif 000007
【図６】
0003108231.tif 000008